(57)【要約】  【課題】  簡単な操作でスプレー缶の押下部を押下することができるスプレー缶操作具と、このスプレー缶操作具を備えたスプレー缶を提供する。  【解決手段】  スプレー缶操作具３は、缶体５の裏側にレバー４０の操作端４０ｂが配置される。この操作端４０ｂが配置される位置は、人指し指を含む全ての指でスプレー缶１の缶体５を手で自然に掴んだときに、人指し指を引っ掛けやすい位置である。また、このスプレー缶操作具３は、レバー４０の操作端４０ｂを操作すると、テコの原理により、押下部６が押下される。従ってこのスプレー缶操作具３を用いると、操作端４０ｂを操作することで押下部６を簡単に押下でき、しかも、テコの原理により小さい力で押下部６を楽に押下することができる。【選択図】図１
2010023920.tif 000002
【特許請求の範囲】
【請求項１】
噴射物を収納する缶体に対し、前記噴射物を噴射する押下位置から、前記噴射物の噴射を行わない非押下位置まで移動可能に取り付けられるとともに、前記移動の方向に対して略垂直な方向に噴射物を噴射するノズルを備える押下部、及び、前記押下部を前記押下位置から前記非押下位置に向かって付勢する付勢手段を備えるスプレー缶に取り付けられ、
前記押下部を操作するスプレー缶操作具であって、
前記押下部からみて、前記ノズルが前記噴射物を噴射する表側とは反対側の裏側に操作端が配置されると共に、前記噴射物が噴射される噴射方向に沿って前記操作端が揺動するように、他端が支持され、
前記操作端を前記噴射方向に移動させると、前記他端を支点、前記操作端を力点として前記押下部をテコの原理により前記非押下位置から前記押下位置に向かって押下する作用部が、前記操作端と前記他端との間に設けられたレバーを備えることを特徴とするスプレー缶操作具。
【請求項２】
請求項１に記載のスプレー缶操作具において、
前記押下部を覆うと共に、前記レバーの他端を内部で揺動可能に支持するカバーを備え、
前記カバーは、前記ノズルと対向する部分、及び、前記レバーの前記操作端を、前記カバーの外側に通す部分とが開口していることを特徴とするスプレー缶操作具。
【請求項３】
請求項１に記載のスプレー缶操作具において、
前記レバーは、その操作端が前記缶体の前記裏側まで延設されていることを特徴とするスプレー缶操作具。
【請求項４】
請求項１〜３のいずれかに記載のスプレー缶操作具を備えることを特徴とするスプレー缶。
【発明の詳細な説明】
【技術分野】
【０００１】
本発明は、スプレー缶の押下部を操作するスプレー缶操作具に関する。
【背景技術】
【０００２】
従来より、スプレー缶１００は、図３に示すように、噴射物を収納する缶体１５０の頭頂部１５１に、噴射物を噴射するノズル１６１を備えた押下部１６０を備えている。
この押下部１６０は、押下されると、缶体１５０に収納された噴射物を押下方向に対して垂直な方向にノズル１６１から噴射する。
【０００３】
このスプレー缶１００を、顔につける化粧料を噴霧するものとして用いる場合、スプレー缶１００は、次のようにして操作される。
まず、スプレー缶１００の手前側に親指が回され、スプレー缶１００の裏側に小指、薬指、中指が回されて、スプレー缶１００がつかまれる。次に、スプレー缶１００を顔の手前まで手でつかんで運び、それとともにノズル１６１を顔に向ける。そして、人指し指を押下部１６０の頭頂部１６２に添える。そして、人差し指で押下部１６０を押下すると、噴射物である化粧料が顔に向かって噴射される。
【発明の開示】
【発明が解決しようとする課題】
【０００４】
ところで、スプレー缶１００を、上述したような顔につける化粧料を噴霧するものとして用いる場合、スプレー缶１００をつかむ他の指とは異なる方向に人指し指を向けるために、押下部１６０を操作し難い上に、人指し指に無理な力がかかってしまって、手が疲れるという問題があった。
【０００５】
そこで本発明では、上述した問題点を解決し、簡単な操作でスプレー缶の押下部を押下することができるスプレー缶操作具と、このスプレー缶操作具を備えたスプレー缶を提供することを目的とする。
【課題を解決するための手段】
【０００６】
上述した問題を解決するためになされた発明である請求項１に記載のスプレー缶操作具は、噴射物を収納する缶体に対し、前記噴射物を噴射する押下位置から、前記噴射物の噴射を行わない非押下位置まで移動可能に取り付けられるとともに、前記移動の方向に対して略垂直な方向に噴射物を噴射するノズルを備える押下部、及び、前記押下部を前記押下位置から前記非押下位置に向かって付勢する付勢手段を備えるスプレー缶に取り付けられ、
前記押下部を操作するスプレー缶操作具であって、前記押下部からみて、前記ノズルが前記噴射物を噴射する表側とは反対側の裏側に操作端が配置されると共に、前記噴射物が噴射される噴射方向に沿って前記操作端が揺動するように、他端が支持され、前記操作端を前記噴射方向に移動させると、前記他端を支点、前記操作端を力点として前記押下部をテコの原理により前記非押下位置から前記押下位置に向かって押下する作用部が、前記操作端と前記他端との間に設けられたレバーを備えることを特徴とする。
【０００７】
このスプレー缶操作具は、押下部から見てノズルが噴射物を排出する表側とは反対側の裏側にレバーの操作端が配置される。この操作端が配置される位置は、人指し指を含む全ての指でスプレー缶の缶体を手で自然に掴んだときに、人指し指を自然に配置できる位置である。
【０００８】
また、このスプレー缶操作具は、レバーの操作端を操作すると、テコの原理により、押下部が押下される。そのため、操作部を操作すれば、少ない力でスプレー缶の押下部を押下される。
【０００９】
従ってこのスプレー缶操作具を用いると、スプレー缶をつかんだときに、人指し指を自然に配置できる位置に操作部が配置されるので、この操作部を操作することで押圧部を簡単に押下でき、しかも、テコの原理により小さい力で押下部を楽に押下することができる。
【００１０】
次に、スプレー缶操作具は、レバー部を支持する構成はどのような構成でもよいが、例えば、請求項２に記載されているように、押下部を覆うカバーを備え、このカバーの内部で、レバーの他端を揺動可能に支持するようにしてもよい、この場合、カバーは、ノズルと対向する部分、及び、レバーの操作端を、カバーの外側に通す部分とが開口したものを用いることが好ましい。
【００１１】
尚、請求項３に記載したように、レバーは、その操作端が缶体の裏側まで延設されているとより好ましい。この位置（缶体の裏側）は、缶体を握っている手の人指を引っ掛けやすい位置なので、この位置までレバーを延設すれば、人指し指をレバーに引っ掛けるだけの簡単な操作で、レバーを操作することができる。
【００１２】
また、請求項４に記載したように、上述したスプレー缶操作具を用いてスプレー缶を構成すれば、このスプレー缶は、簡単な操作で楽に押下部を操作することができる。
【発明を実施するための最良の形態】
【００１３】
以下、本発明が適用された実施形態について説明する。
図１は、本実施形態のスプレー缶操作具を備えたスプレー缶の斜視図、図２は、スプレー缶操作具の動作を説明するために必要な構成を示したスプレー缶操作具とスプレー缶の模式図である。
【００１４】
尚、以下の説明で、缶体５に対し押下部６が設けられる方向を上方と呼ぶ。
本実施形態で用いられるスプレー缶１は、スプレー缶操作具３、缶体５と、押下部６とを備えている。
［１．缶体５］
缶体５は、側面５０が略円筒状に形成され、この側面５０の軸方向一端側の開口は、図示しない底面部材によって閉じられ、この側面５０の軸方向他端側の開口も、頭頂部材５２によって閉じられている。
【００１５】
このうち  頭頂部材５２は、側面５０に対し、その縁部をかしめて取り付けられ、缶体５に対して突出した円錐台状に形成されている。
この缶体５内には、噴射物である化粧料と、この化粧料を噴射するための噴射ガスとが収納されている。
［２．押下部６］
押下部６は、頭頂部材５２の頂上面５２ａから立設され、押下部６の上方に配置されている。この押下部６は、頂上面５２ａに比べて小径の円柱形状に形成されており、この押下部６の中心軸が、缶体５の側面５０の軸を通る基準軸と重なる位置に配置されている。
【００１６】
また、この押下部６は、押下部６の缶体５側の底面から頂上面５２ａに向かって、基準軸上を基準軸に沿って延設された移動管６０を備えている。この移動管６０は、缶体５の内部に収納された噴射物を押下部６に導く管である。
【００１７】
さらに、押下部６は、中心軸周りの周囲側面にノズル６２を備えている。このノズル６２は、缶体５０内に収納され、移動管６０を介して押下部６に導かれた噴射物を噴射するものである。このノズルは、基準軸（押下部が移動する方向）に対して、略垂直な方向に噴射物を噴射する。
【００１８】
そして、この押下部６は、図２に示すように、缶体５から最も離れた位置である非押下位置から、この非押下位置よりも缶体５側の所定の押下位置（点線で示した位置）まで、移動管６０とともに移動可能に缶体５に支持されている。また、この押下部６は、缶体５内に設けられたバネ５４（付勢手段に相当）によって、移動管６０を介して押下位置から非押下位置に向かって付勢されている。
【００１９】
このように構成されたスプレー缶１では、押下部６を非押下位置から押下位置に、バネ５４の付勢力に逆らって押し込むと、缶体５内に収納された噴射物である化粧料が、移動管６０内を通って、ノズル６２から噴出される。
［３．スプレー缶操作具３］
スプレー缶操作具３は、図１に示すように、カバー３０と、レバー４０とを備えている。
【００２０】
カバー３０は、缶体５の頭頂部５２及び押下部６を覆う円錐台状に形成され、透明な材料で形成されている。このカバー３０は、このカバー３０の軸と基準軸とが重なるように、缶体５の頭頂部５２側に取り付けられている。
【００２１】
また、このカバー３０は、その内部にレバー４０を揺動可能に支持する支持軸３２を備えている。この支持軸３２は、押下部６の上方であって、ノズル６２の略真上当たりに設けられている。
【００２２】
さらに、このカバー３０は、ノズル６２と対向する表側部分に開口３０ａが設けられている。また、このカバー３０は、ノズル６２と対向する表側部分とは反対の裏側部分には、レバー４０の操作端を、カバー３０の外側に通す開口３０ｂが設けられている。
【００２３】
レバー４０は、他端４０ａが、カバー３０内の支持軸３２に支持され、この支持軸３２から押下部６の上方を通り、カバー３０の裏側部分の開口３０ｂを通って、カバー３０の外部まで延設されている。このときレバー４０の他端である操作端４０ｂは、押下部６からみて、ノズル６２が噴射物を排出する表側とは反対側の裏側であって、缶体５の裏側の側面５０と対向する位置に配置される。
【００２４】
このようにレバー４０がカバー３０に取り付けられると、レバー４０は、図２中点線で示すレバー４０のように、操作端４０ｂが、噴射物がノズル６２から噴射される噴射方向βに沿って揺動する。
【００２５】
またこのレバー４０は、操作端４０ｂと他端４０ａとの間であって、押下部６の上方部分に、押下部６に向かって突設された作用部４０ｃを備えている。
このように形成されたレバー４０の操作端４０ｂを噴射方向に移動させると、他端４０ａを支点、操作端４０ｂを力点として、図２中の点線で示す押下部６のように、作用部４０ｃが押下部６をテコの原理により押下される。
［４．実施形態に係るスプレー缶の特徴］
本実施形態のスプレー缶１に取り付けられたスプレー缶操作具３は、押下部６から見てノズル６２が噴射物を排出する表側とは反対側の裏側であって缶体５の裏側にレバー４０の操作端４０ｂが配置される。この操作端４０ｂが配置される位置は、人指し指を含む全ての指でスプレー缶１の缶体５を手で自然に掴んだときに、人指し指を自然に配置でき、缶体５を握っている手の人指し指を引っ掛けやすい位置である。
【００２６】
また、このスプレー缶操作具３は、レバー４０の操作端４０ｂを操作すると、テコの原理により、押下部６が押下される。そのため、操作端４０ｂを操作すれば、少ない力でスプレー缶１の押下部６を押下することができる、
従ってこのスプレー缶操作具３を用いると、スプレー缶１をつかんだときに、人指し指を自然に配置でき、しかも、自然に引っ掛けられる位置に操作端４０ｂが配置されるので、この操作端４０ｂを操作することで押下部６を簡単に押下でき、しかも、テコの原理により小さい力で押下部６を楽に押下することができる。
【００２７】
以上、本発明の実施形態について説明したが、本発明は、特許請求の範囲に記載された発明の趣旨に合致するものであればよく、上述の実施形態に限定されるものではない。
【図面の簡単な説明】
【００２８】
【図１】本実施形態のスプレー缶操作具を備えたスプレー缶の斜視図である。
【図２】スプレー缶操作具の動作を説明するために必要な構成を示したスプレー缶操作具とスプレー缶の模式図である。
【図３】従来のスプレー缶の斜視図である。
【符号の説明】
【００２９】
１…スプレー缶  ３…スプレー缶操作具  ５…缶体  ６…押下部  ３０…カバー  ３２…支持軸  ４０…レバー  ４０ａ…他端  ４０ｂ…操作端  ４０ｃ…作用部  ５０…側面  ５２…頭頂部材  ５２ａ…頂上面  ５４…バネ  ６０…移動管  ６２…ノズル
【図１】
2010023920.tif 000003
【図２】
2010023920.tif 000004
【図３】
2010023920.tif 000005